(57)【要約】【課題】必要に応じて異なった形態の製品に（リハビリ器材や防寒着等）に製作して使用することにより、用途を広くし、実用効果を上げることができる布電線を提供する。【解決手段】リハビリ器材１は、ゴム発泡材からなる本体１０、本体１０の適度な区域に埋められた、一区切りの均一に分布した布電線２、その布電線２のもう一方の端は本体１０の外に延長して、リチウム電池及びプログラム可能なチップ制御装置を内蔵した、温度制御装置３に接続する。【選択図】    図２
2004185957.tif 000002
【特許請求の範囲】
【請求項１】
「原料の選択」が導電性に優れたメタルヤーン及び天然繊維であり、
「使用する加工機械」に関して、メタルヤーン及び天然繊維を、糸つむぎ機でカバリング作業を行って、天然繊維糸の外部にメタルヤーンを巻きつけて覆い、
「布電線の編み込み」について、メタルヤーンを、編み機によって編みの作業に移し、必要なサイズの円形中空状の布電線材にし、
「布電線の成型」について、すでに編んで円形の中空状になった布電線を、押して平らな線材にすることにより、導電性を均一にして効果を上げ、表面を羊毛、うさぎ等の天然長（短）繊維の糸で覆うという製造過程上の特徴を有し、
上述のステップによって製造された導電及び発熱効果のある布電線。
【請求項２】
メタルヤーンの直径が、０．０３５〜０．０８ｍｍの範囲である、請求項１に記載の導電及び発熱効果のある布電線。
【請求項３】
天然繊維が、羊毛、うさぎ、あるいは、遠赤外線加工処理を施した遠赤外線ヤーン、または、フレキシブルヤーンのいずれでも可能である請求項１に記載の導電及び発熱効果のある布電線。
【請求項４】
天然繊維糸の外部にメタルヤーンを巻きつけて覆い、最も理想的な巻き付けの緻密度が、約１ｃｍの長さの天然繊維糸に３〜６４巻きでメタルヤーンを巻く方法である、請求項１に記載の導電及び発熱効果のある布電線。
【請求項５】
編んで円形中空状にした布電線の直径が、０．１〜１ｃｍの間である請求項１に記載の導電及び発熱効果のある布電線。
【請求項６】
ゴム発泡材からなる本体を有し、本体の適度な区域には一区切りの均一に分布した布電線が埋められていて、その布電線のもう一方の端は本体の外に延長して、リチウム電池及びプログラム可能なチップ制御装置が内蔵された温度制御装置に接続するという特徴を有するリハビリ器材。
【請求項７】
温度制御装置内のプログラム可能なチップ制御装置には、温度制御機能があり、信号受信エレメントを取り付けることが可能で、遠隔制御のリモコンと組み合わせて使用すれば、子機（リハビリ器材）と親機（リモコン）の構造形態が可能である請求項６に記載のリハビリ器材。
【請求項８】
内部に最低、必要に応じて熱療温度を設定する温度制御エレメント、自由に熱療時間の長さを設定できる時間制御エレメント、そして、布電線の、現在の実際温度と時間を表示するための液晶ディスプレーエレメント、数個の設定用の機能ボタンを含む構造を有する請求項６あるいは請求項７のいずれかの項に記載のリハビリ器材。
【請求項９】
リモコンが一つの親機で複数の子機に対応して使用する構造形態を有する請求項６あるいは請求項７のいずれかの項に記載のリハビリ器材。
【請求項１０】
衣類、並びに、内部に取り付けたリハビリ器材からなり、そのリハビリ器材の本体の周囲にいくつかの接合構造を取り付け、衣類の決められた位置にも同様にそれに対応する接合構造を取り付けて、リハビリ器材と衣類を結合させて一体にするという特徴を有する保温・防寒用衣類。
【請求項１１】
その接合構造は、オスとメスのスナップあるいは面ファスナが理想的である請求項１０に記載の保温・防寒用衣類。
【請求項１２】
その衣類の材質が軽くて薄く、肌触りのよい柔らかい布材によって製造された請求項１０に記載の保温・防寒用衣類。
【発明の詳細な説明】
【０００１】
【発明の属する技術分野】
本発明は布電線の製作技術及びその完成品の応用に関し、それは導電及び発熱効果のある布電線の構造であり、その用途は広い。
【０００２】
【従来の技術】
従来、医療用に用いられるリハビリ器材の導電発熱構造は、一般に金属材質を用いている。スチールやカーボン繊維を束状にするか、単一スチールあるいはカーボン繊維を巻いて棒状にした発熱線材が多く使われている。そして、それを、外側を覆う布材の中に埋めこんである。使用の際は、その発熱線材に電流（ＡＣあるいはＤＣ）を通して、発熱効果を生じさせ、布で覆った面を患部に当てて、熱療法でリハビリを行なうのである。
【０００３】
【発明が解決しようとする課題】
上述ような従来の発熱線材は、使用する際、一般的には交流電源（ＡＣ）を用いる。このため、人体に害を及ぼす電磁波が発生し、安全性に問題が生じる。また、従来の発熱線材は、設定した最高温度が低いという傾向がある（最高温度は３５〜４５℃にすぎない）。その上、加熱も遅い（ゆっくり上昇する）ため、効果的な熱療法が行なえない。従来の発熱線材は、テスト後、４分経たないと最高温度に達しない。温度の上昇が遅いだけでなく、気温の低い寒帯地区なら、その熱療法効果が充分に発揮できない。また、従来の発熱線材は、ＤＣ電流（電池）を使用することも可能であるが、放電状態が続くため、電池の寿命が短く、これも理想的な熱量法効果が得られない。
従来の発熱線材の最高温度は３５℃ぐらいまでしか達しないので、調整できる範囲が狭すぎのは明らかである。したがって、実用性が高くない。さらに、ＡＣ交流電流を電源とするので、コードの関係で、空間や地点の制限があるので、不便である。また、従来の発熱線材は、持続放電方式を採っているので、電力の消費が大きい。その設定温度も調整できず、ディスプレーもないため、設定温度に達しているかどうかを知ることができない。
【０００４】
【課題を解決するための手段】
本考案の導電及び発熱効果のある布電線は、用途の広い（例えば、リハビリ用、防寒等）布電線の製作方法、及び、その完成品の構造を応用した各種製品を提供することにある。特殊な方法によって製作された布電線は、導電及び発熱効果があるという二重の特性の外に、異なった物に運用しても必要な効果が得られる。したがって、その布電線の使用範囲及び実用効果が従来のものに比べてかなり優れていると言える。
【０００５】
上述の目的を達成するため、本発明の導電及び発熱効果のある布電線は、製作上、従来の金属スチールやカーボン繊維といった材質とは異なった、メタリックヤーン及び天然繊維を原料としている。カバリング、編み込みを経て、中が空洞の円形状にし、さらに、押して平らな線状にした後、表面をさらに天然の長い（短い）繊維で覆う。これをリハビリ器材として運用する場合は、本体をゴム発泡材にし、適度にカットされた布電線を、平均に内側に分布させる。もう一方の端は本体の外に延長していて、リチウム電池及びチップが内蔵された温度制御装置に接続する。
【０００６】
使用に際しては、まず、薬液を患部に塗り、患部をリハビリ器材で覆い、温度制御装置によってゴム発泡材本体の中に埋め込まれた布電線が発熱するように設定し、設定温度に達した後、それを維持して恒温状態を保つようにすることにより、血液の循環及び新陳代謝を促がして、リハビリ効果を生み出す。また、そのリハビリ器材は、遠隔操作のできる、無線型のリモコンと組み合わせて使用することも可能である。子機（リハビリ器材）と親機（リモコン）の構造形態を形成する。こうすれば、使用者が遠距離からリモコンでコントロールすることができるので、非常に便利である。また、上述の一対一の子機（リハビリ器材）と親機（リモコン）の構造形態を更に進歩させて、一つの親機（リモコン）で、複数の子機（リハビリ器材）に対応できるようにした構造形態も可能である。構造上、そのリモコンに複数の子機の内線ボタンを追加するだけでよい。操作する時は、まずそれぞれの子機の温度及び時間を設定しておいて、リハビリ器材を一人の使用者の部位に被せればよい。あるいは、異なった数人の使用者の患部に当てることも可能である。このように、一定の範囲内であれば、簡単にコントロールでき、極めて便利である。単一の使用者の各患部あるいは異なった複数の使用者の患部に当ててリハビリ治療を簡単に実施することができる。
【０００７】
また、その布電線を寒冷地区の防寒用に運用する場合は、上述のリハビリ器材の構造に、本体の周囲にいくつかのスナップあるいは面ファスナを取り付ける。衣服の必要な位置に同様にそれに対応する接合構造を取り付けて、その衣類と一体にする。したがって、使用者がその衣類を身に着け、温度制御装置で、直接コントロールあるいはリモコンで遠隔制御をして、理想の温度にして、保温防寒の用をなすのである。
【０００８】
【発明の実施の形態】
本発明の導電及び発熱効果のある布電線は、その布電線の製造方法及びこの方法によって製作された布電線関連製品の二つの部分に分かれる。
【０００９】
製造方法に関する部分は以下の過程を含む。
図１を参照されたい。「原料の選択」に関して、使用する原料は以下の通りである。
導電性に優れたメタルヤーンで、その直径は０．０３５〜０．０８ｍｍの範囲を理想とする。
天然（短）繊維は、例えば、羊毛、うさぎ等、あるいは、遠赤外線加工処理を施した遠赤外線ヤーン、または、フレキシブルヤーンのいずれでも可能である。
「使用する加工機械」について：
上述のメタルヤーン及び天然繊維等の原料は、糸つむぎ機でカバリング作業を行なう。天然繊維糸の外部にメタルヤーンを巻きつけて覆い、最も理想的な巻きつけの緻密度（且つ、切れないという前提で）になるまで行なう。そして、約１ｃｍの長さの天然繊維糸に３〜６４巻きでメタルヤーンを巻くのが最も理想的である。このように、全ての巻きの作業が完了したメタルヤーンの平坦度は、低周波を使用する際の安定した治療が行なえるように、一致していなければならない。
「布電線の編み込み」について：
上述の巻きを終えたメタルヤーンは、編み機によって編みの作業に移り、必要なサイズ（０．１〜５ｃｍ）の円形中空状の布電線材（もし他の用途ならば、必要に応じて他の形態に編んでもよい）にする。
「布電線の成型」について：
さらに、上述のすでに編んで円形の中空状になった布電線を、押して平らな線材にすることにより、導電性が均一になって効果的である。それから、表面を羊毛、うさぎ等の天然長、短繊維の糸で覆って触感をよくする。
上述のステップによって、本考案の「導電及び発熱効果のある布電線」が製造される。
【００１０】
関連製品応用の部分について：
上述のように成型された布電線は、必要に応じて、各種の製品に運用可能である。例えば、低周波治療、リハビリの熱療法、あるいは、寒冷地区の防寒用である。
図２を参照されたい。これは、一種の布電線によって構成されたリハビリ器材である。このリハビリ器材１は、ゴム発泡材からなる本体１０、本体１０の適度な区域に埋められた、一区切りの均一に分布した布電線２、その布電線２のもう一方の端は本体１０の外に延長して、リチウム電池（図には示していない）及びプログラム可能なチップ制御装置（図には示していない）を内蔵した、温度制御装置３に接続する。上述のゴム発泡材は、薬液を吸収しないという効果がある。
【００１１】
使用に際しては、薬液を均一に患部に塗り、患部をリハビリ器材１で覆って、さらに、温度制御装置３によって温度を設定し、本体１０内に埋め込まれた布電線２を発熱させ、設定温度に達した後、恒温状態を維持することにより、患部の毛細血管を広げ、患部に塗布した薬液を患部に浸透し易くするのである。同時に、布電線内に遠赤外線ヤーンがあることで、持続電流作用を経て、発熱により活性化現象を生じさせるのである。さらに、患部の血行と新陳代謝を促がし、効果的にリハビリを行なうことができる。
また、上述の布電線２が発したエネルギーは、その温度が最高７５℃前後まで達することができる。最高温度が４５℃前後である、従来の製品に比べて、はるかに応用範囲が広く、熱療法効果にも優れていると言える。
【００１２】
また、上述の温度制御装置３は、内蔵の直流リチウム電池を利用して電力を供給しているので、従来の製品が交流電源を使用しているのに比べ、より安定した電圧が得られる上、直流電流は電磁波の心配がない。温度制御装置３は、布電線２によって生じた高温熱を設定した後、自動的に恒温状態を維持する。温度が下がった時は、自動的に温度を設定値まで戻すことができるので、電力の節約が可能である。
【００１３】
さらに、上述のリハビリ装置１は、使用の際、空間、地点等の制限を受けない。温度制御装置３内のプログラム可能なチップ制御装置には、信号受信エレメントが取り付けてある。遠隔制御のリモコン４と組み合わせて使用すれば、子機（リハビリ器材）と親機（リモコン）の構造形態が可能である。そのリモコン４は、図３を参照されたい。その構造は、内部に最低、必要に応じて熱療温度を設定する温度制御エレメント、自由に熱療時間の長さ（図には示していない）を設定できる時間制御エレメント、そして外部に設置した布電線２の、現在の実際温度と時間を表示するための液晶ディスプレーエレメント４２、数個の設定用の機能ボタン４３を含む。このようにして、使用者はリモコンを通して、遠隔制御方式でリハビリ器材１を操作することができるという便利さを有する。
【００１４】
本発明は、単独でリハビリ器材１を使用する以外に、一対一の子機（リハビリ器材）と親機（リモコン）の構造形態や、一つの親機（リモコン）で複数の子機（リハビリ器材）に対応する構造形態も可能である。図４を参照されたい。親機つまりリモコン４には、子機すなわちリハビリ器材１を代表するいくつかの内線ボタン４４がある。それぞれ各子機の温度値を設定した後、そのリハビリ器材で単一使用者の身体の異なった部位を覆うか、あるいは、複数の使用者の患部を覆って使用する。一定の範囲内（１ｍ）において、簡単で便利に操作が行なえるという特徴を持つ。したがって、単一使用者の各患部にも、異なった使用者の患部にもリハビリ治療が行える。
【００１５】
図５を参照されたい。この外、寒冷地区において、防寒、暖房用の衣類形態で応用することが可能である。上述のリハビリ器材１の構造に、その本体の周囲にいくつかスナップあるいは面ファスナ等の接合構造５を取り付け、衣類の決められた位置にも同様にそれに対応する接合構造５を取り付ける。そして、リハビリ器材１と衣類を結合させて一体にする。したがって、使用者がその衣類を身につけ、温度制御装置３の直接操作、あるいは、リモコン４によって遠隔操作する方式で、最も理想的な温度を設定し、保温、防寒効果が得られるのである。
また、上述の布電線２は、それを保温、防寒用に運用する時、その衣類の材質を選択する際、軽くて薄い、そして、肌触りのよいものを選ぶようにする方が着心地がよい。
また、上述の接合構造５は、オスとメスのスナップあるいは面ファスナが理想的である。しっかりと固定できる上、着脱も簡単で、布電線２をクリーニングする際も便利である。
【００１６】
【発明の効果】
本発明の導電及び発熱効果のある布電線には、以下のような特徴がある。
１）リハビリ器材がゴム発泡布材からできた本体であるため、一般の布材と異なり、薬液を吸収することがなく、患部に塗布した薬液が吸収されてリハビリ効果に影響することがない。
２）接操作する温度制御装置あるいは遠隔操作するリモコンが、単独使用かリモコンと組み合わせて使用するかを、自由に選択でき、空間、地点の制限を受けずに、どこででも使用できて便利である。
３）直流のリチウム電池をリハビリ器材の電源として使用しているので、電磁波の発生を心配することがなく、リサイクルも可能なので、環境保護の視点からも優れた特性を有する。
４）プログラム可能なチップによって、自動的に温度を上昇させて、恒温の状態に制御するので、火傷の危険性がなく、安全性が高い。放電状態を持続しないので、電力が節約でき、電力が長持ちする。
５）任意に衣類に取り付けたり、衣類から取り外したりすることができ、洗浄可能なので、清潔さが維持でき、衛生的であるという特徴を有する。
６）直接定温まで加熱するので、スピーディーで効果が明らかである。そして、その最高温度が７５℃前後まで達するので、応用範囲が広く、熱療効果にも優れている。
７）リハビリ器材はリモコンと組み合わせて、一対一の子機と親機の構造形態で使用することが可能で、同時に、一つの親機で複数の子機に対応する構造形態を取ることも可能である。そして、単一の使用者の各患部、あるいは、異なった使用者の患部の治療が効果的に行なえるという特徴を有する。
【図面の簡単な説明】
【図１】本発明の布電線の製造過程を示した図である。
【図２】本発明の実施例の完成品形態図である。
【図３】本発明の実施例のリハビリ器材に組み合わせたリモコンの構造を示した図である。
【図４】本発明のもう一つの、実施例のリモコンの構造を示した図である。
【図５】本発明の、また別の実施例の完成品形態図である。
【符号の説明】
１        リハビリ器材            １０      本体
２        布電線                  ３        温度制御装置
３０      リチウム電池
４        リモコン                ４０      温度制御エレメント
４２      液晶ディスプレーエレメント
４３      機能ボタン              ４４      内線ボタン
５        接合構造
【図１】
2004185957.tif 000003
【図２】
2004185957.tif 000004
【図３】
2004185957.tif 000005
【図４】
2004185957.tif 000006
【図５】
2004185957.tif 000007